(57)【要約】    【課題】組み込んだ宝石等が一定の範囲内で移動可能であり、その意外性のため、アイキャッチャーとして優れた効果を有する、実用品及びアクセサリー類を提供する。    【解決手段】装飾体本体（１２）と、その中に形成された少なくとも１つの貫通孔（１３）と、その貫通孔に移動可能に設定された移動体（１４）からなる。前記移動体（１４）はその正面に宝石又は模造宝石（１５）を有する。前記移動体（１４）は、正面側に、前記貫通孔よりも直径が大である宝石又は模造宝石（１５）が取り付けられ、背面側に、前記貫通孔よりも直径が大である支持板（１６）が取り付けられ、両者は、前記貫通孔よりも長さが小である細幅部分（１７）で繋がれている。【選択図】図３
2006020834.tif 000002
【特許請求の範囲】
【請求項１】
装飾体本体（１２，３１，４１，５１）と、
その中に形成された少なくとも１つの貫通孔（１３，３２，４２，５２）と、
その貫通孔に移動可能に設定された移動体（１４）からなり、
前記移動体（１４）はその正面に宝石又は模造宝石（１５）を有することを特徴とする装飾体（１０，３０，４０，５０）。
【請求項２】
前記移動体（１４）は、正面側に、前記貫通孔よりも直径が大である宝石又は模造宝石（１５）が取り付けられ、背面側に、前記貫通孔よりも直径が大である支持板（１６）が取り付けられ、両者は、前記貫通孔よりも長さが小である細幅部分（１７）で繋がれている請求項１記載の装飾体。
【請求項３】
前記貫通孔が長孔（１３，３２，４２）である請求項１又は２記載の装飾体。
【請求項４】
前記貫通孔が丸孔（５２）である請求項１又は２記載の装飾体。
【請求項５】
移動体（１４）が、雄部材（１８）と雌部材（１９）をかしめてなり、雄部材（１８）は、宝石又は模造宝石（１５）の係止・保持部（２３，２０）と、挿通部（２１）を有し、雌部材（１９）は、前記挿通部を通過させる受部（２２）と、前記支持板（１６）を有する請求項１ないし４のいずれかに記載の装飾体。
【発明の詳細な説明】
【技術分野】
【０００１】
本発明は装飾体に関する。本明細書において「装飾体」とは、装飾目的で宝石又は模造宝石（以下、「宝石等」という）を組み込んだ実用品及びアクセサリー類をいうものとする。実用品としては、例えばスライドファスナーの引手、ボタン、バックル、等があり、アクセサリー類としては、例えば人体の装飾物（ネックレス、腕輪、髪飾り、等）、衣服の装飾物（ブローチ、メダル、バッジ、等）、かばんや靴の装飾物（飾り金具、等）がある。
【背景技術】
【０００２】
宝石等を組み込んだ実用品及びアクセサリー類は周知であり、その多くは、例えば添付の図８に示すようなものである。図８（ａ）では、宝石等Ｊを基礎台Ｔに接着剤で接着させる。図８（ｂ）では、基礎台Ｔから爪Ｃを何箇所か起立させ、それにより宝石Ｊのクラウン部をかしめている。やや形状は異なるが、図８（ｂ）の形式のボタンが下記特許文献１として公開されている。
【特許文献１】特開２００２−７８５１４
【発明の開示】
【発明が解決しようとする課題】
【０００３】
図８（ａ）のように接着剤を使用する形式では、その部分から剥離が起こりやすい。図８や特許文献１のように爪でかしめる形式では、爪の部分が衣服の生地や肌に引っかかってそれらを傷つけることがある。
【０００４】
本発明はこのような欠点のない、宝石等を組み込んだ実用品及びアクセサリー類を提供することを第１の目的とする。
【０００５】
本発明の第２の目的は、組み込んだ宝石等が一定の範囲内で移動可能であり、その意外性のため、アイキャッチャーとして優れた効果を有する、実用品及びアクセサリー類を提供することである。
【課題を解決するための手段】
【０００６】
本発明の装飾体は、装飾体本体と、その中に形成された少なくとも１つの貫通孔と、その貫通孔に移動可能に設定された移動体からなり、前記移動体はその正面に宝石又は模造宝石を有することを特徴とする。
【発明の効果】
【０００７】
本発明の装飾体に初めて接した者は、まず美しい宝石等があることに気づき、軽い驚きを覚える。次いで、指で装飾体本体にさわったとき、宝石等が動くことに気づき、さらに驚くことになる。その意外性のため、本発明は、アイキャッチャーとして優れた効果を有する。
【０００８】
また、本発明の装飾体は、接着剤を使用しないため、劣化による剥離などあり得ない。さらに、金属の爪を起立させていないので、使用者の肌や衣服を傷つけることもない。
【発明を実施するための最良の形態】
【０００９】
前記移動体は、正面側に、前記貫通孔よりも直径が大である宝石等が取り付けられ、背面側に、前記貫通孔よりも直径が大である支持板が取り付けられ、両者は、前記貫通孔よりも長さが小である細幅部分で繋がれているものとするのが好ましい。移動体が貫通孔から脱落する危険がなくなるからである。
【００１０】
前記貫通孔は長孔であるのが好ましいが、単なる丸孔でもよい。長孔を使用したときには、移動体は位置的移動が可能となり、丸孔を使用したときには、回転運動のみが可能である。
【００１１】
以下、添付の図面に基づき、本発明の実施例を説明する。
【実施例１】
【００１２】
図１−３は本発明の第１実施例であり、スライドファスナの引手である。図１は正面図、図２は背面図、図３は図１の３−３断面図である。
【００１３】
図１，図２に示すように、この引手は、全体は「８」の字型であり、上側リングはスライダ（図示せず）と接続され、下側リング（引手本体）１２を指で摘んでスライダを上下させる。引手本体１２の中央部は楕円形の長孔１３であり、ここに宝石等を備えた移動体１４が設定される。移動体１４は、操作者の指に動きに応じて、長孔に沿って上下運動が可能である。
【００１４】
図３に示すように、移動体は、正面側に宝石等１５が取り付けられ、背面側に支持板１６が取り付けられ、両者は細幅部分１７で繋がれている。宝石等１５及び支持板１６の直径は長孔１３よりも大であり、細幅部分１７は長孔１３よりも長さが小である。
【００１５】
移動体１４を形成するには、雄部１８と雌部１９を使用する。
【００１６】
雄部１８は係止部２３と、保持部２０と、挿通部２１からなる。保持部２０は、上端が大径で下端が小径な略すり鉢状の管状に形成されており、宝石等１５の外周面に沿って覆うようになっている。係止部２３は、保持部の上端に連続して延出するように形成され、図１に示すように、宝石等１５の最外周縁部分を覆い、宝石等のクラウン部の傾斜面に沿い、この傾斜面の一部を覆うように折曲形成される。挿通部２１は、略円筒形に形成され、保持部２０の下端から垂下方向に伸びて形成されている。
【００１７】
雌部１９は、支持板１６と受部２２とで略構成されている。支持板１６は、本実施の形態では、図３に示すように、二重の平坦面にて形成され、ほぼ中央に受部２２が形成されている。受部２２は、その内径が、上記した挿通部２１の外径と同径あるいはやや大径に形成されている。
【００１８】
このように構成された移動体１４は、前記したように、雄部１８と雌部１９とをかしめることで固定状態となる。すなわち、この移動体１４を取り付ける対象である引手本体１２に対して、この引手本体１２に予め穿設される長孔１３に雄部の挿通部２１を、引手本体１２の表面から通し、装飾体の裏面からは雌部１９を配置させ、これら雄部１８と雌部１９とをかしめるのである。移動するものをかしめる作業は容易でないため、移動体のかしめ位置を決定すると共に安定させる目的でわずかなくぼみ（図示せず）を予め作っておくことが好ましい。
【００１９】
この引手１０の使用法は、従来の引手と変わらない。すなわち、スライダに取付け、引手本体１２を指で摘んで上下させ、スライドファスナを開閉する。宝石等１５を有する移動体１４は装飾目的だけに取り付けられている。
【００２０】
初めてこの引手を使用する者は、スライダを移動させようとしてまず引手に注目する。そこに美しい宝石等があることに気づき、軽い驚きを覚える。次いで、指で引手本体１２にさわったとき、宝石等１５が動くことに気づき、さらに驚くことになる。その意外性のため、本発明は、アイキャッチャーとして優れた効果を有する。
【実施例２】
【００２１】
図４は、本発明第２実施例のブローチ３０の正面図である。ハート形本体３１には２本の貫通孔３２，３２が刻まれており、ここにそれぞれ宝石等を有する移動体１４が設定されている。移動体の構造は第１実施例と同じである。移動体１４は、操作者の指に動きに応じて、貫通孔に沿って移動が可能である。
【実施例３】
【００２２】
図５は、本発明第３実施例のスライドファスナの引手４０の正面図である。直線形本体４１には１つの貫通孔４２が刻まれており、ここに宝石等を有する移動体１４が設定されている。移動体の構造は第１実施例と同じである。移動体は、操作者の指に動きに応じて、貫通孔に沿って移動が可能である。
【実施例４】
【００２３】
図６と７は、第４実施例のバッジ５０の正面図及び断面図である。このバッジ本体は、アルファベットのＬＧを組み合わせたような形状である。バッジ本体５１の上部に丸孔５２があり、そこに第１実施例と同じ移動体１４が取り付けられている。丸孔５２と移動体１４の細幅部分は固着されていない。この実施例では、移動体１４は丸孔５２にはめ込まれているだけであるから、位置的移動はできず、単に回転運動ができるだけである。そのため、本明細書で「移動」というときには「回転運動」も含むものとする。
【００２４】
この第４実施例では位置的移動はできないため、使用者に与える驚きは小さなものとならざるを得ない。しかし、図８に関連して記載した従来技術の欠点は問題なくクリアしている。
【図面の簡単な説明】
【００２５】
【図１】本発明の第１実施例であり、スライドファスナの引手の正面図である。
【図２】本発明の第１実施例であり、スライドファスナの引手の背面図である。
【図３】図１の３−３断面図である。
【図４】本発明第２実施例のブローチの正面図である。
【図５】本発明第３実施例のスライドファスナの引手の正面図である。
【図６】第４実施例のバッジの正面図である。
【図７】第４実施例のバッジの断面図である。
【図８】２種類の従来例を示す正面図である。
【符号の説明】
【００２６】
１０   引手
１２   引手本体
１３   長孔
１４   移動体
１５   宝石等
１６   支持板
１７   細幅部分
１８   雄部
１９   雌部
３０   ブローチ
３２    貫通孔
４０   引手
５０   バッジ
５２   丸孔
【図１】
2006020834.tif 000003
【図２】
2006020834.tif 000004
【図３】
2006020834.tif 000005
【図４】
2006020834.tif 000006
【図５】
2006020834.tif 000007
【図６】
2006020834.tif 000008
【図７】
2006020834.tif 000009
【図８】
2006020834.tif 000010